(57)【特許請求の範囲】
【請求項１】
複数のアンテナが設けられ、各々の受信状態に応じて１つのアンテナが選択されてテレビ電波を受信する受信手段と、
前記複数のアンテナを介して受信されたテレビ電波から映像及び音声を含むテレビ信号を弁別して前記受信手段に出力する第１のフィルタと、
該テレビ電波から映像信号と音声信号とを分離して抽出する抽出手段と、
抽出された音声信号を所定の周波数により変調して送信する送信手段と、
前記送信手段から出力される変調された音声信号から不要成分を除去して前記アンテナに出力する第２のフィルタと、を備える車載テレビ受信機において、
前記送信手段は、前記選択された１つのアンテナ以外のアンテナの１つを介して前記変調した音声信号を送信することを特徴とする車載テレビ受信機。
【発明の詳細な説明】
【０００１】
【発明の属する技術分野】
本発明は、車載テレビ受信機に関する。
【０００２】
【従来の技術】
図４を参照して、従来の車載テレビ受信機４について説明する。
図４は従来の車載テレビ受信機４の構成を示すブロック図である。
車載テレビ受信機４は、４本のテレビ受信用アンテナ１１（ＡＮＴ１，ＡＮＴ２，ＡＮＴ３，ＡＮＴ４）からテレビ電波を受信し、ダイバーシティ回路１５により受信レベルに基づきアンテナ切替ＳＷ１２にて受信するアンテナＡＮＴ１〜ＡＮＴ４を適宜選択する。車載テレビ受信機４は、この選択したアンテナＡＮＴ１〜ＡＮＴ４の受信電波をテレビチューナ１３に入力してＩＦ信号に復調した後、映像・音声検波回路１４にてこのＩＦ信号からテレビ映像信号とテレビ音声信号とを分離して抽出する。
車載テレビ受信機４は、上記抽出したテレビ映像信号を外部の図示しない表示回路に出力し、テレビ音声信号を音声切替回路１６に出力し、ＦＭトランスミッタ回路１７にてＦＭ周波数帯域に変調してＦＭトランスミッタ専用アンテナ１８から送出する。
【０００３】
以上説明したように、従来の車載テレビ受信機４は、ＦＭ周波数帯域に変調したテレビ音声信号を、テレビ受信用アンテナ１１とは別のＦＭトランスミッタ専用アンテナ１８によって送出していた。このＦＭ電波を受信して再生することにより、外部機器からの音声入力機能を持たないカーオーディオで、テレビ受信機からの音声を聞くことができる。
【０００４】
【発明が解決しようとする課題】
しかしながら、図４に示すような従来の車載テレビ受信機４においては、テレビ受信用アンテナとは別にＦＭトランスミッタ専用アンテナを設置し、このＦＭトランスミッタ専用アンテナを介して音声信号を送信する構成であったため、この専用アンテナ取付のためのスペースを必要とする上、この専用アンテナの製造コストがかかっていた。また、ＦＭトランスミッタ専用アンテナは、リード線を延ばしただけのものであったり車室内に簡易的に取り付けられたものであった。そのため、設置条件の影響などによっては車室外に設置されているＦＭレシーバのアンテナに効率良く電波を送信できず、ＦＭレシーバにおいて十分な感度が得られないという問題があった。
【０００５】
そこで本発明の課題は、ＦＭトランスミッタ専用アンテナを設置せず、車室外に設置されたテレビ受信用アンテナを介してテレビ音声信号の送信を行い、ＦＭトランスミッタ専用アンテナの取付スペースを省き、製造コストを低減し、ＦＭレシーバの受信感度を向上させることができる車載テレビ受信機を提供することである。
【０００６】
【課題を解決するための手段】
このような課題を解決するため、請求項１記載の発明は、
複数のアンテナが設けられ、各々の受信状態に応じて１つのアンテナが選択されてテレビ電波を受信する受信手段と、
前記複数のアンテナを介して受信されたテレビ電波から映像及び音声を含むテレビ信号を弁別して前記受信手段に出力する第１のフィルタと、
該テレビ電波から映像信号と音声信号とを分離して抽出する抽出手段と、
抽出された音声信号を所定の周波数により変調して送信する送信手段と、
前記送信手段から出力される変調された音声信号から不要成分を除去して前記アンテナに出力する第２のフィルタと、を備える車載テレビ受信機において、
前記送信手段は、前記選択された１つのアンテナ以外のアンテナの１つを介して前記変調した音声信号を送信することを特徴とする。
【０００７】
（第１の実施の形態）
まず、本発明を適用した車載テレビ受信機１の構成を説明する。
図１は車載テレビ受信機１の構成を示すブロック図であり、図４に示した車載テレビ受信機４内と同一の構成部には同一符号を付している。
【０００８】
図１に示すように、車載テレビ受信機１は、テレビ受信用アンテナ１１（ＡＮＴ１，ＡＮＴ２，ＡＮＴ３，ＡＮＴ４）と、ハイパスフィルタ（以下、ＨＰＦと呼ぶ）２４と、アンテナ切替ＳＷ１２と、テレビチューナ１３と、映像・音声検波回路１４と、ダイバーシティ回路１５と、音声切替回路１６と、ＦＭトランスミッタ回路１７と、ローパスフィルタ（以下、ＬＰＦと呼ぶ）２５とから構成される。
【０００９】
テレビ受信用アンテナ１１は、４本のアンテナＡＮＴ１，ＡＮＴ２，ＡＮＴ３，ＡＮＴ４から成り、テレビ電波の受信とテレビ音声信号の送信を行う。アンテナＡＮＴ１〜ＡＮＴ４はアンテナ切替ＳＷ１２に接続されている。ＡＮＴ４はＨＰＦ２４を介して前記アンテナ切替ＳＷ１２に接続され、またＬＰＦ２５を介してＦＭトランスミッタ回路１７にも接続されている。
【００１０】
ＨＰＦ２４は、テレビ受信用アンテナ１１の内のアンテナＡＮＴ４とアンテナ切替ＳＷ１２との間に設置され、受信したテレビ電波を高域弁別特性により処理して不要な低域成分を取り除き、テレビ信号を抽出してテレビチューナ１３に出力する。
【００１１】
アンテナ切替ＳＷ１２は、ダイバーシティ回路１５からの切替信号に従ってテレビ受信用アンテナ１１の切替を行う。
【００１２】
テレビチューナ１３は、アンテナ切替ＳＷ１２から入力されたテレビ信号をＩＦ信号に復調して映像・音声検波回路１４に出力する。
【００１３】
映像・音声検波回路１４は、テレビチューナ１３から入力されたＩＦ信号からテレビ映像信号とテレビ音声信号とを分離して抽出する。抽出したテレビ映像信号を図示しない表示回路に出力し、テレビ音声記号を音声切替回路１６に出力する。
【００１４】
ダイバーシティ回路１５は、４本のテレビ受信用アンテナ１１の受信電波の電界強度に応じてどのアンテナの受信電波を使用するかを選択するため、切替信号をアンテナ切替ＳＷ１２に出力して、受信感度の良好なアンテナＡＮＴ１〜ＡＮＴ４を適宜切り替える。
【００１５】
音声切替回路１６は、外部音声信号の入力端子を備える。外部からの切替指示に従って、テレビ音声信号と外部音声信号とを切り替えてＦＭトランスミッタ回路１７に出力する。
【００１６】
ＦＭトランスミッタ回路１７は、音声切替回路１６から入力されたテレビ音声信号をＦＭ周波数帯域に変調し、ＬＰＦ２５を介してアンテナＡＮＴ４からＦＭ周波数変調したテレビ音声信号を送出する。
【００１７】
ＬＰＦ２５は、ＦＭトランスミッタ回路１７から入力されたＦＭ周波数変調されたテレビ音声信号を低域弁別特性により処理して、不要な高域成分を取り除き、ＨＰＦ２４側にＦＭ周波数変調したテレビ音声信号が漏れることを防止する。
【００１８】
次に、車載テレビ受信機１の動作を説明する。
図１に示すように、車載テレビ受信機１は、テレビ受信用アンテナ１１（ＡＮＴ１〜ＡＮＴ４）からテレビ電波を受信する。この時、車載テレビ受信機１はアンテナＡＮＴ４の受信電波をＨＰＦ２４に通過させる。これによって、ＦＭ周波数帯域成分を除去し、テレビ信号を抽出する。次に、アンテナ切替ＳＷ１２にて、ダイバーシティ回路１５により受信レベルに基づき４本のテレビ受信用アンテナ１１、すなわちアンテナＡＮＴ１〜ＡＮＴ４の中からアンテナのを選択して切り替える。
【００１９】
車載テレビ受信機１は、アンテナ切替ＳＷ１２にて選択したアンテナＡＮＴ１〜ＡＮＴ４から受信した電波から抽出したテレビ信号をテレビチューナ１３に入力し、このテレビチューナ１３においてこのテレビ信号をＩＦ信号に復調した後、映像・音声検波回路１４にてこのＩＦ信号からテレビ映像信号とテレビ音声信号とを分離して抽出する。
また、映像・音声検波回路１４は、受信レベルに基づいてアンテナ切替ＳＷ１２にてアンテナＡＮＴ１〜ＡＮＴ４を切り替えるための情報として、このテレビ映像信号をダイバーシティ回路１５に出力する。
【００２０】
車載テレビ受信機１は、映像・音声検波回路１４にて抽出したテレビ映像信号を表示回路に出力する。これと同時に、テレビ音声信号を音声切替回路１６に出力した後、ＦＭトランスミッタ回路１７に出力してＦＭ周波数帯域に変調する。次いで、車載テレビ受信機１は、ＦＭ周波数帯域に変調されたテレビ音声信号をＬＰＦ２５に通過させて低域弁別特性により処理し、不要な高域成分を取り除き、テレビ音声信号を抽出し、この抽出したテレビ音声記号をアンテナＡＮＴ４から送出し、図示しないＦＭレシーバに対して送信する。
【００２１】
以上説明したように、本実施の形態の車載テレビ受信機１は、テレビ受信用アンテナ１１を介してＦＭ周波数変調したテレビ音声信号の送信を行う。したがって、ＦＭトランスミッタ回路１７にテレビ音声信号送信のための専用アンテナを設ける必要がないため、アンテナ設置に要していたスペースを省略するとともに製造コストを低減することができる。また、車室外のリアウィンドウやルーフ等に設置されているテレビ受信用アンテナ１１を介してテレビ音声信号を送信することによって、車室外に設けられているＦＭレシーバによるテレビ音声信号の受信感度を向上させることができる。なお、テレビ受信用アンテナ１１を介してテレビ音声信号送信を行った場合でも、ダイバーシティ効果は問題なく機能する。
【００２２】
また、車載テレビ受信機１は、受信するテレビ電波をＨＰＦ２４に通過させて不要な低域成分を除去し、送信するテレビ音声信号をＬＰＦ２５に通過させ、不要な高域成分を除去する。そのため、同一のアンテナＡＮＴ４を介してテレビ電波の受信及びテレビ音声信号の送信を行っても、受信すべきテレビ電波と送信すべきテレビ音声信号とが互いに混入してしまう惧れがなく、円滑な送受信を行うことができる。
【００２３】
（第２の実施の形態）
次に、本発明を適用した車載テレビ受信機２の構成を説明する。
図２は車載テレビ受信機２の構成を示すブロック図であり、第１の実施の形態に示した実施の形態に示した車載テレビ受信機１内と同一の構成部には同一符号を付し、その構成説明を省略する。本実施の形態は、テレビ受信用アンテナ１１がアンテナＡＮＴ１のみで構成される場合を示している。
【００２４】
図２に示すように、車載テレビ受信機２は、テレビ受信用アンテナ１１（ここでは、ＡＮＴ１のみ）と、ＨＰＦ２１と、テレビチューナ１３と、映像・音声検波回路１４と、音声切替回路１６と、ＦＭトランスミッタ回路１７と、ＬＰＦ２５とによって構成されている。テレビ受信用アンテナ１１、すなわちアンテナＡＮＴ１はＨＰＦ２１を介してテレビチューナに、またＬＰＦ２５を介してＦＭトランスミッタ回路１７にそれぞれ接続されている。
【００２５】
次に、車載テレビ受信機２の動作を説明する。
図２に示すように、車載テレビ受信機２は、テレビ受信用アンテナ１１（ＡＮＴ１）からテレビ電波を受信する。この時、車載テレビ受信機２はアンテナＡＮＴ１の受信電波をＨＰＦ２１に通過させることによって、高域弁別特性により不要な低域成分を取り除き、テレビ信号を抽出する。
【００２６】
次に車載テレビ受信機２は、ＨＰＦ２１にて抽出したテレビ信号をテレビチューナ１３に入力し、ＩＦ信号に復調した後、映像・音声検波回路１４にてこのＩＦ信号からテレビ映像信号とテレビ音声信号とを分離して抽出する。
【００２７】
車載テレビ受信機２は、上記抽出したテレビ映像信号を表示回路に出力する。これと同時に、テレビ音声信号を音声切替回路１６に出力した後、ＦＭトランスミッタ回路１７に出力してＦＭ周波数帯域に変調する。
次いで、車載テレビ受信機２は、ＦＭ周波数帯域に変調したテレビ音声信号をＬＰＦ２５に通過させて低域弁別特性により処理し、不要な高域成分を取り除き、テレビ音声信号を抽出し、この抽出したテレビ音声記号をアンテナＡＮＴ１から送出し、図示しないＦＭレシーバに対して送信する。
【００２８】
上記のような第２の実施の形態においては、第１の実施の形態と同様の効果が得られる。ただし、車載テレビ受信機２は、テレビ受信用アンテナは１本のみ有するため、ダイバーシティ機能は備えていない。
【００２９】
（第３の実施の形態）
次に、本発明を適用した車載テレビ受信機３の構成を説明する。
図３は車載テレビ受信機３の構成を示すブロック図であり、第１の実施の形態に示した実施の形態に示した車載テレビ受信機１内と同一の構成部には同一符号を付し、その構成説明を省略する。本実施の形態は、テレビ受信用アンテナ１１、すなわちアンテナＡＮＴ１，ＡＮＴ２，ＡＮＴ３，ＡＮＴ４が全てＬＰＦ２５を介してＦＭトランスミッタ回路１７に接続されている場合を示している。
【００３０】
図３に示すように、車載テレビ受信機３は、テレビ受信用アンテナ１１（ＡＮＴ１，ＡＮＴ２，ＡＮＴ３，ＡＮＴ４）と、ＨＰＦ２１，ＨＰＦ２２，ＨＰＦ２３，ＨＰＦ２４と、アンテナ切替ＳＷ１２と、テレビチューナ１３と、映像・音声検波回路１４と、ダイバーシティ回路１５と、音声切替回路１６と、ＦＭトランスミッタ回路１７と、ＬＰＦ２５とから構成される。テレビ受信用アンテナ１１、すなわちアンテナＡＮＴ１〜ＡＮＴ４は、それぞれＨＰＦ２１〜ＨＰＦ２４を介してアンテナ切替ＳＷ１２に接続されるとともに、ＬＰＦ２５を介してＦＭトランスミッタ回路１７に接続されている。
【００３１】
次に、車載テレビ受信機３の動作を説明する。
図３に示すように、車載テレビ受信機３は、テレビ受信用アンテナ１１（ＡＮＴ１〜ＡＮＴ４）からテレビ電波を受信する。車載テレビ受信機３は、受信した電波をＨＰＦ２１〜ＨＰＦ２４に通過させ、不要な低域成分を取り除き、テレビ信号を抽出する。こうしてＨＰＦ２１〜２４を通過したテレビ信号をテレビチューナ１３に入力し、このテレビチューナ１３においてこのテレビ信号をＩＦ信号に復調した後、映像・音声検波回路１４に出力してこのＩＦ信号からテレビ映像信号とテレビ音声信号とを分離して抽出する。
【００３２】
車載テレビ受信機３は、上記抽出したテレビ映像信号を表示回路に出力する。これと同時に、テレビ音声信号を音声切替回路１６に出力した後、ＦＭトランスミッタ回路１７に出力してＦＭ周波数帯域に変調する。
次いで、車載テレビ受信機３は、ＦＭ周波数帯域に変調したテレビ音声信号をＬＰＦ２５に通過させて低域弁別特性により処理し、不要な高域成分を取り除き、テレビ音声信号を抽出し、この抽出したテレビ音声記号を４本のアンテナＡＮＴ１〜ＡＮＴ４から送出し、図示しないＦＭレシーバに対して送信する。
【００３３】
以上説明したように、車載テレビ受信機３は、４本のテレビ受信用アンテナ１１、すなわちアンテナＡＮＴ１〜ＡＮＴ４を介してテレビ音声信号の送信を行う。この車載テレビ受信機３は、複数のアンテナからテレビ音声信号を送出することによって、ＦＭレシーバの受信範囲を広げることができるため、ＦＭレシーバの受信感度を更に向上させることができる。
【００３４】
以上の第１〜第３の実施の形態に基づいて説明したように、本発明を適用した車載テレビ受信機によれば、テレビ受信用アンテナを介してテレビ音声信号を送信するため、従来のようにＦＭトランスミッタ専用アンテナを設置する必要がない。したがって、このＦＭトランスミッタ専用アンテナの取付スペースを省くとともに製造コストを低減することが可能である。
【００３５】
また、車室外に設置されたテレビ受信用アンテナを利用してテレビ音声信号の送信を行うことによって、従来簡易的に設けられていたＦＭトランスミッタ用アンテナに比べ、ＦＭレシーバによる音声信号の受信感度を向上させることができる。
【００３６】
なお、本発明は、上記実施の形態に限定されるものではなく、本発明の趣旨を逸脱しない範囲で適宜変更可能である。例えば、上記第１〜第３の実施の形態においては、テレビ受信用アンテナを１本或いは４本用いたが、このテレビ受信用アンテナの本数はこれに限定されるものではなく、１本または複数のアンテナを用いてその内の１本または複数本をテレビ電波の送受信兼用としても良い。
【００３７】
第１及び第３の実施の形態においては、テレビ受信用アンテナを複数本有し、ダイバーシティ回路を備えた車載テレビ受信機について説明したが、第２の実施の形態のようにダイバーシティ機能を持たない車載テレビ受信機においても本発明の実施は勿論可能である。
【００３８】
また、第１及び第３の実施の形態においては、複数本のテレビ受信用アンテナの内、１本または複数本をテレビ電波受信とテレビ音声信号送信との兼用とした。他の方法として、テレビ受信用アンテナを複数本備える車載テレビ受信機において、１本または複数本のテレビ受信用アンテナを切り離し、テレビ音声信号送信のためのＦＭトランスミッタ専用アンテナとしても良い。ただしこの場合、当然少なくとも１本のテレビ受信用アンテナをテレビ電波受信専用として残しておく必要がある。
【００３９】
更に、複数のテレビ受信用アンテナを設置してその内２本以上を送受信兼用とし、この２本以上のアンテナからテレビ音声信号を送信すれば、各アンテナから送信される電波がＦＭレシーバの受信範囲を広げるため、１本のアンテナのみからテレビ音声信号を送信する場合に比べてＦＭレシーバの受信感度を更に向上させることもできる。
【００４０】
また、複数のテレビ受信用アンテナを有する車載テレビ受信機においては、ダイバーシティ効果を損なうことなく発揮することができる。
更に、第１および第３の実施の形態で示した複数本のテレビ受信用アンテナを用いる場合に、ダイバーシティ回路１５でテレビ受信用アンテナとして選択されたアンテナ以外のアンテナをテレビ音声信号送信用のアンテナとして選択するようにしても良い。この場合、ＬＰＦ２５から送出される音声信号のアンテナＡＮＴ１〜ＡＮＴ４への入力を切り換える切換回路が追加される。
【００４１】
【発明の効果】
本発明によれば、車室外に取り付けられたテレビ受信用アンテナを介してテレビ音声信号の送信を行うことによって、ＦＭトランスミッタの専用アンテナを設ける必要がなくなり、アンテナ設置に要していたスペースを省略するとともに製造コストを低減することができ、また車室外に設置されているＦＭレシーバのアンテナに効率良く電波を送信することができるため、ＦＭレシーバによるテレビ音声信号の受信感度が向上する。
【図面の簡単な説明】
【図１】本発明を適用した第１の実施の形態による車載テレビ受信機１の構成を示すブロック図である。
【図２】本発明を適用した第２の実施の形態による車載テレビ受信機２の構成を示すブロック図である。
【図３】本発明を適用した第３の実施の形態による車載テレビ受信機３の構成を示すブロック図である。
【図４】従来の車載テレビ受信機４の構成を示すブロック図である。
【符号の説明】
１，２，３，４  車載テレビ受信機
ＡＮＴ１，ＡＮＴ２，ＡＮＴ３，ＡＮＴ４  アンテナ
１１  テレビ受信用アンテナ
１２  アンテナ切替ＳＷ
１３  テレビチューナ
１４  映像・音声検波回路
１５  ダイバーシティ回路
１６  音声切替回路
１７  ＦＭトランスミッタ回路
１８  ＦＭトランスミッタ専用アンテナ
２１，２２，２３，２４  ＨＰＦ（ハイパスフィルタ）
２５  ＬＰＦ（ローパスフィルタ）
【図１】
0003806612.tif 000002
【図２】
0003806612.tif 000003
【図３】
0003806612.tif 000004
【図４】
0003806612.tif 000005